(57)【特許請求の範囲】
【請求項１】
電力供給部にコードを介して接続される振動子と、長尺状に成形されて前記コードが長手方向に挿通されると共に先端部において前記振動子を保持する装置本体とを備え、
前記装置本体は、前記振動子を保持する保持部と前記コードを収容する収容溝とを有するベース部材と、前記収容溝を被覆するカバー部材とからなり、
これらベース部材とカバー部材とが、前記先端部の手前に設けられた先端係止部と基端部に設けられた基端係止部とで分離可能に係止されている、
前記ベース部材の先端側における前記収容溝の側壁から外方側に向けて突出した先端係止壁が設けられると共に、
前記カバー部材の先端側における側部から内方側に突出する先端係止爪とが設けられ、
前記ベース部材の側部には、前記先端係止壁との係合位置まで案内するガイド溝が設けられ、
前記先端係止部は、前記先端係止壁と前記先端係止爪とが係合して前記ベース部材と前記カバー部材とが互いに離間するのを阻止する構成とされていることを特徴とする超音波治療器。
【請求項２】
前記ガイド溝の開口寸法が前記先端係止爪の厚さ寸法よりも大きく形成されていることを特徴とする請求項１に記載の超音波治療器。
【請求項３】
前記ベース部材の基端側における前記収容溝の側壁には基端窪み部が設けられると共に、
前記カバー部材の基端側における前記側部から外方側に突出する基端係止爪が設けられ、
前記基端係止部は、前記窪み部と前記基端係止爪とが係合して前記ベース部材と前記カバー部材とが互いに離間するのを阻止する構成とされていることを特徴とする請求項１又は２に記載の超音波治療器。
【請求項４】
前記カバー部材には厚さ方向に貫通し、前記カバー部材の基端部から前記長手方向に延在する切込が設けられていることを特徴とする請求項１から３のうちいずれか一項に記載の超音波治療器。
【請求項５】
前記先端係止部と前記基端係止部との間に、前記ベース部材と前記カバー部材とを分離可能に係止する中間係止部を有することを特徴とする請求項１から４のうちいずれか一項に記載の超音波治療器。
【発明の詳細な説明】
【技術分野】
【０００１】
本発明は、人工歯根（インプラント）を埋め込んだ患部の治癒促進に使用される超音波治療器に関するものである。
【背景技術】
【０００２】
従来、上顎部又は下顎部にインプラントと呼ばれるピン状の人工歯根を埋め込み、このインプラントに人工歯冠をねじ込んで取り付ける治療が行われている。このインプラントは、患者の顎部の骨の組織に定着するまでに一定の期間を要するが、インプラントを埋め込んだ患部に超音波を放射することによって上記定着期間を短縮させることができる。【０００３】
例えば、下記特許文献１に開示される超音波治療器は、電力供給部にコードを介して接続される振動子と、長尺状に形成されて前記コードが長手方向に挿通されると共に先端部において前記振動子を保持する保持部が形成された装置本体とを備えており、装置本体を把持して振動子を口腔内の患部に近傍に位置させ、振動子が発する超音波を患部に放射する。
【先行技術文献】
【特許文献】
【０００４】
【特許文献１】韓国特許第１０−０８４４４９１号明細書
【発明の概要】
【発明が解決しようとする課題】
【０００５】
しかしながら、従来の技術では、振動子と装置本体とが一体的に形成されているために、装置本体内部、又は、振動子と装置本体との間の清掃・消毒作業が難しく、これらの作業に多くの時間や労力を費やしたり、大掛かりな装置を用いたりしなければならないという問題がある。例えば、医療施設で超音波治療器を使用する場合には、清掃・消毒作業を頻繁に行う必要があるために、大掛かりな装置が必要となる。一方、家庭で使用する場合には、大掛かりな装置を用いることが現実的に困難であり、多くの作業時間や労力を費やさなければならない。【０００６】
また、上記振動子は、所定回数の使用によって治療に適した性能水準を満たさなくなるが、従来の技術では、振動子の性能低下に伴って装置本体を廃棄しなければならず、不経済であるという問題がある。同様に、振動子と装置本体との分別廃棄性が悪く、リサイクル性が悪いという問題がある。【０００７】
本発明は、このような事情を考慮してなされたもので、以下のことを目的とする。
（１）超音波治療器の清掃・消毒作業を容易にする。
（２）超音波治療器の経済性を向上させる。
（３）振動子と装置本体との分別廃棄を容易にし、リサイクル性を向上させる。
【課題を解決するための手段】
【０００８】
上記目的を達成するために、本発明は以下の手段を採用している。
本発明は、電力供給部にコードを介して接続される振動子と、長尺状に成形されて前記コードが長手方向に挿通されると共に先端部において前記振動子を保持する装置本体とを備え、前記装置本体は、前記振動子を保持する保持部と前記コードを収容する収容溝とを有するベース部材と、前記収容溝を被覆するカバー部材とからなり、これらベース部材とカバー部材とが、前記先端部の手前に設けられた先端係止部と基端部に設けられた基端係止部とで分離可能に係止され、前記ベース部材の先端側における前記収容溝の側壁から外方側に向けて突出した先端係止壁が設けられると共に、前記カバー部材の先端側における側部から内方側に突出する先端係止爪とが設けられ、前記ベース部材の側部には、前記先端係止壁との係合位置まで案内するガイド溝が設けられ、前記先端係止部は、前記先端係止壁と前記先端係止爪とが係合して前記ベース部材と前記カバー部材とが互いに離間するのを阻止する構成とされていることを特徴とする。
【０００９】
また、ベース部材とカバー部材とが分離可能に係止されているので、振動子が所定回数の使用によって治療に適した性能水準を満たさなくなったとしても、ベース部材とカバー部材とを分離させて振動子のみを交換することができる。これにより、装置本体を再利用することができ、超音波治療器の経済性を向上することができる。
さらに、ベース部材とカバー部材とが分離可能に係止されているので、振動子と装置本体とを分別して廃棄することが容易となり、リサイクル性を向上することができる。【００１０】
また、前記ベース部材の先端側における前記収容溝の側壁から外方側に向けて突出した先端係止壁が設けられると共に、前記カバー部材の先端側における側部から内方側に突出する先端係止爪とが設けられ、前記先端係止部は、前記先端係止壁と前記先端係止爪とが係合して前記ベース部材と前記カバー部材とが互いに離間するのを阻止する構成とされていることが好ましい。【００１２】
また、前記ガイド溝の開口寸法が前記先端係止爪の厚さ寸法よりも大きく形成されていることが好ましい。【００１３】
また、前記ベース部材の基端側における前記収容溝の側壁には基端窪み部が設けられると共に、前記カバー部材の基端側における前記側部から外方側に突出する基端係止爪が設けられ、前記基端係止部は、前記窪み部と前記基端係止爪とが係合して前記ベース部材と前記カバー部材とが互いに離間するのを阻止する構成とされていることが好ましい。【００１４】
前記カバー部材には厚さ方向に貫通し、前記カバー部材の基端部から前記長手方向に延在する切込が設けられていることが好ましい。
【００１５】
また、前記先端係止部と前記基端係止部との間に、前記ベース部材と前記カバー部材とを分離可能に係止する中間係止部を有することが好ましい。
【発明の効果】
【００１６】
本発明に係る超音波治療器によれば、超音波治療器の清掃・消毒作業を容易にすることができる。また、超音波治療器の経済性を向上させることができると共に、振動子と装置本体との分別廃棄を容易にし、リサイクル性を向上させることができる。
【図面の簡単な説明】
【００１７】
【図１】本発明の実施の形態に係る超音波治療器１の外観構成斜視図である。
【図２】本発明の実施の形態に係る超音波治療器１の分解斜視図である。
【図３】本発明の実施形態に係る超音波治療器１において、装置本体３の一部拡大側面図である。
【図４】本発明の実施形態に係る超音波治療器１の第一の動作説明図であって、ベース部材１０に振動子２を組み込む工程を示した図である。
【図５】本発明の実施形態に係る超音波治療器１の第二の動作説明図であって、ベース部材１０及びカバー部材２０のそれぞれの先端を径止させる工程を示した図である。
【図６】本発明の実施形態に係る超音波治療器１の第二の動作説明図の一部拡大側面図であり、一の動作を示した図である。
【図７】本発明の実施形態に係る超音波治療器１の第二の動作説明図の一部拡大側面図であって、図６とは別の他の動作を示した図である。
【図８】本発明の実施形態に係る超音波治療器１の第三の動作説明図であって、超音波ベース部材１０及びカバー部材２０のそれぞれの中間部分及び基端部を係止して超音波治療器１の組み立てを完成させた図である。
【図９】本発明の実施形態に係る超音波治療器１の第四の動作説明図であって、装置本体３の基端部３ｄの係止を解除する図である。
【図１０】本発明の実施形態に係る超音波治療器１の第五の動作説明図であって、装置本体３の先端部３ａ及び中間部の係止を解除する図である。
【発明を実施するための形態】
【００１８】
以下、図面を参照し、本発明の実施の形態について説明する。
図１は、本発明の実施の形態に係る超音波治療器１の外観構成斜視図であり、図２は、超音波治療器１の分解斜視図である。
図１に示すように、超音波治療器１は、患部に超音波を放射する振動子２と、把持部としての機能を有する装置本体３とを備えている。
【００１９】
振動子２は、図１に示すように、円盤形状の圧電素子からなり、一方の放射円面２ａを露出させた状態でアルミニウム又はステンレスによって被覆されている。この振動子２には、外部の周波数入力器（電力供給部）に接続可能なコード２ｂが接合されている。
【００２０】
装置本体３は、図１に示すように、長尺状のものであり、先端部３ａに振動子２を保持しており、この先端部３ａから基端部３ｂに向けて、比較的に細く構成されて弾性を有する首部３ｃと、使用者が把持し易いように首部３ｃよりも太く構成された把持部３ｄとが順に延在している。
この装置本体３は、ベース部材１０と、カバー部材２０とから構成されている。
【００２１】
ベース部材１０は、図２に示すように、長尺状に成形された樹脂部材であり、先端に振動子２を保持する保持部１１を有している。そして、この保持部１１から基端１０ｂに向けて、首部３ｃの一部を構成するベース首部１０ｃと、このベース首部１０ｃよりも厚さ寸法及び幅寸法が大きく構成されたベース把持部１０ｄとが順に延在している。
これらベース首部１０ｃ及びベース把持部１０ｄは、断面Ｕ字状に成形されており、ベース部材１０の長手方向に収容溝１２が連続して延在している。
【００２２】
保持部１１は、図２に示すように、枠状に成形されたものであり、放射円面２ａを露出させた状態で振動子２を嵌合収容する収容孔１１ａを有している。この収容孔１１ａは、底部に成形された孔１１ｂを介して外部に連通すると共に、基端１０ｂ側において収容溝１２と連通している。
【００２３】
図３は、装置本体３の一部拡大側面図である。
図２及び図３に示すように、ベース首部１０ｃにおける双方の側壁１３は、主壁１４と、薄肉内壁１５と、先端係止壁１６と、ガイド溝１７とをそれぞれ有している（必要であれば、図４、図６及び図７参照）。
主壁１４は、ベース首部１０ｃの底部から連続して成形されたものであり、比較的に肉厚に構成された部位である（図４参照）。
薄肉内壁１５は、主壁１４の端面１４ａの内方側において、収容溝１２に沿って収容溝１２の溝深さ方向（以下、単に「溝深さ方向」という。）に突出するように成形されている。換言すれば、主壁１４と薄肉内壁１５とは、収容溝１２の溝幅方向（以下、単に「溝幅方向」という。）に段状になっている。
この薄肉内壁１５は、図２に示すように、ベース把持部１０ｄから先端係止壁１６まで延在しており、基端１０ｂ側には薄肉内壁１５の法線方向（溝幅方向）に突出する係合突部１５ａが成形されている。
【００２４】
先端係止壁１６は、図２及び図４に示すように、薄肉内壁１５の法線方向（溝幅方向）外方に向けて突出した板状の部位であり、ベース首部１０ｃの長手方向に向けて延在して保持部１１と隣接している。この先端係止壁１６の下面１６ａの基端１０ｂ側には、図３に示すように、面取部１６ｂが成形されている。
【００２５】
ガイド溝１７は、図２から図４に示すように、薄肉内壁１５から連続して成形された薄肉の部位であり、収容溝１２の溝深さ方向に漸次寸法が大きくなった後に略一定となって、先端係止壁１６の下方に延在している。すなわち、主壁１４の端面１４ａが穏やかな円弧を描いて収容溝１２の溝底側に向けて延在した後に、再度穏やかな円弧を描いて先端係止壁１６に平行に延在するように構成されている。
このガイド溝１７は、薄肉内壁１５から連続する部位における寸法、換言すれば、ベース首部１０ｃの長手方向における開口寸法がＤ１となっている。
【００２６】
図２に示すように、ベース把持部１０ｄにおける収容溝１２は、ベース首部１０ｃにおける溝深さ及び溝幅よりも大きく構成されており、側壁１３には、主壁１８と、薄肉外壁１９とが成形されている。
主壁１８は、図２に示すように、ベース首部１０ｃの底部から連続して成形されたものであり、ベース部材１０の長手方向において主壁１４と連続して成形されている。この主壁１８の端面１８ａは、薄肉内壁１５の端面１５ｂと連続している。
【００２７】
薄肉外壁１９は、図２に示すように、主壁１８の端面１８ａの外方側において、収容溝１２に沿って溝深さ方向に突出するように成形されており、ベース首部１０ｃから基端１０ｂまで延在している。
この薄肉外壁１９の基端１０ｂ側の内壁面には、外方側に窪んだ基端窪み部１９ａが成形されている。
【００２８】
カバー部材２０は、図２に示すように、長尺薄板状に成形された樹脂部材であり、ベース部材１０と比較して僅かに短く構成され、収容溝１２を被覆している。このカバー部材２０は、先端２０ａから基端２０ｂに向けて、首部３ｃの一部を構成するカバー首部２０ｃと、このカバー首部２０ｃよりも厚さ寸法が大きくされたカバー把持部２０ｄとが順に延在している。 
【００２９】
図２及び図３に示すように、カバー部材２０の両側部２０ｅには、収容溝１２の溝底側に突出する突壁２１がカバー部材２０の長手方向にそれぞれ延在している。
【００３０】
カバー首部２０ｃにおける突壁２１間の溝幅方向の寸法は、双方の側壁１３における薄肉内壁１５の外壁面間と略同一の寸法となっている。
また、図３に示すように、カバー首部２０ｃの先端２０ａ側の両側部２０ｅには、それぞれ突壁２１よりも溝底側に大きく突出した先端突部２２が設けられており、この先端突部２２の端部から内方側に向けて先端係止爪２３が突出している。この先端係止爪２３は、厚さ方向に交差する内面が基端２０ｂ側から先端２０ａ側に向かうほど漸次収容溝１２の溝底側に位置する傾斜部２３ａとなっている。
【００３１】
このような先端突部２２は、図３に示すように、その厚さ寸法（カバー部材２０の長手方向の寸法）が、ガイド溝１７の開口寸法Ｄ１よりも小さく構成されたＤ２となっている。
このカバー首部２０ｃにおける突壁２１の基端２０ｂ側の内壁面には、溝幅方向外方側に窪む係合窪み部２４が成形されている。
【００３２】
カバー把持部２０ｄにおける突壁２１の溝幅方向の寸法は、ベース部材２０の側壁１３における薄肉外壁１９の内壁面間と略同一の寸法となっている。カバー把持部２０ｄにおける突壁２１の基端２０ｂの外壁面には法線方向（溝幅方向）外方側に突出する基端係止爪２５が成形されている。
また、このカバー把持部２０ｄの基端２０ｂには、カバー部材２０の厚さ方向（溝深さ方向）に貫通して、カバー部材２０の長手方向に延在する切込２７が成形されている。
【００３３】
このような構成のベース部材１０とカバー部材２０とは、先端係止部３１と、中間係止部３２と、基端係止部３３とによって、互いに係止されて装置本体３を構成している。
すなわち、先端係止部３１においては、先端係止壁１６と先端係止爪２３とが溝深さ方向に重なって、面取部１６ｂと傾斜部２３ａとが係合することにより、ベース部材１０とカバー部材２０とが収容溝１２の溝深さ方向に離間するのを係止している。
同様に、中間係止部３２においては、係合突部１５ａが収容溝１２の外方側に、係合窪み部２４が収容溝１２の内方側にそれぞれ位置した状態で、収容溝１２の溝幅方向に重なって係合することにより、ベース部材１０とカバー部材２０とが離間するのを係止している。
同様に、基端係止部３３においては、基端基端窪み部１９ａが収容溝１２の外方側に、基端係止爪２５が収容溝１２の内方側にそれぞれ位置した状態で、溝幅方向に重なって係合することにより、ベース部材１０とカバー部材２０とが離間するのを係止している。
【００３４】
なお、この状態においては、溝幅方向において、ベース首部１０ｃの薄肉内壁１５が内方側に、カバー首部２０ｃにおける突壁２１が外方側に位置して首部３ｃを構成している。同様に、収容溝１２の溝幅方向において、ベース把持部１０ｄの薄肉外壁１９が外方側に、カバー把持部２０ｄにおける突壁２１が内方側に位置して把持部３ｄを構成している。
【００３５】
次に、上記の構成からなる超音波治療器１の洗浄時の超音波治療器１の動作について説明する。なお、以下の説明においては、超音波治療器１が分解された状態（図２参照）から組み立てる手順について説明する。
まず、図４に示すように、収容溝１２とコード２ｂとの延在方向を概ね重ねた状態で、指Ｆで収容孔１１ａに振動子２を押し込むことにより、振動子２を保持部１１に嵌合させるようにして収容する（矢印Ｙ１）。
保持部１１に振動子２を収容した後に、振動子２と同様にしてコード２ｂを収容溝１２に収容する。
【００３６】
次に、図５及び図６に示すように、先端突部２２を主壁１４の端面１４ａに当接させて、この先端突部２２を基端１０ｂ側から保持部１１側に向けてスライド（矢印Ｙ２、Ｙ３）させる。
端面１４ａ上をスライドした先端突部２２がガイド溝１７に到達すると、図６に示すように、先端突部２２が端面１４ａに沿って収容溝１２の溝底側に向けて移動しようとする。この際、ガイド溝１７の開口寸法Ｄ１（図３参照）が、先端係止爪２３の厚さ寸法Ｄ２よりも大きくされているために、先端係止爪２３はガイド溝１７の開口に引っ掛からずに、ガイド溝１７の内部に導かれる。さらに、先端係止壁１６に面取部１６ｂを有し、先端係止爪２３が傾斜部２３ａを有しているため、図７に示すように、先端突部２２と先端係止爪２３とが接触したとしても、先端係止爪２３が滑らかに保持部１１側及び収容溝１２の溝底側に導かれる。
このようにして、先端突部２２が保持部１１側に移動して、図３に示すように、傾斜部２３ａと面取部１６ｂとが相互に押圧接触して、係合する。すなわち、先端係止部３１により、ベース部材１０とカバー部材２０との先端側が係止される。
【００３７】
ベース部材１０とカバー部材２０との先端側が係止された後には、図８に示すように、ベース部材１０を支持した状態で、カバー部材２０の中間付近を指Ｆで押圧することにより、係合突部１５ａを係合窪み部２４に嵌め込む（矢印Ｙ４）。このようにして、係合突部１５ａと係合窪み部２４とが係合することにより、ベース部材１０とカバー部材２０との中間部分が係止される。この際、係合窪み部２４が溝幅方向外方側に、係合突部１５ａが溝幅方向内方側にそれぞれ位置した状態となる。
【００３８】
同様にして、図８に示すように、ベース部材１０を支持した状態で、カバー部材２０の基端２０ｂを指Ｆで押圧することにより、係合突部２５を基端窪み部１９ａに嵌め込む。このようにして、基端係止爪２５と基端窪み部１９ａとが係合することにより、ベース部材１０とカバー部材２０との基端が係止される。この際、基端窪み部１９ａが溝幅方向外方側に、基端係止爪２５が溝幅方向内方側にそれぞれ位置した状態となる。
上述したように、先端係止部３１、中間係止部３２、基端係止部３３の各部位でベース部材１０とカバー部材２０とが係止されて、図１に示すように、超音波治療器１の組み立てが完成する。
【００３９】
このような超音波治療器１は、コード２ｂが外部の周波数入力器に接続されて、振動子２に所定の周波数が入力される。この周波数が入力された振動子２は、共振を起こして超音波を放射する。すなわち、使用者が把持部３ｄを把持して振動子２を口腔内の患部に近傍に位置させ、振動子２が発する超音波を患部に放射する。
【００４０】
続いて、超音波治療器１の分離方法について説明する。
まず、図９に示すように、カバー部材２０の基端２０ｂを両側から溝幅方向内方に押し込む（矢印Ｙ５）。基端２０ｂを押し込むと、基端２０ｂが弾性変形して基端係止爪２５と基端窪み部１９ａとが離間して係合が解除されて、基端係止部３３の係止が解除される。このようにして、ベース部材１０とカバー部材２０との基端における係止を解消する。
【００４１】
次に、図１０に示すように、基端１０ｂと基端２０ｂとを溝深さ方向において離間させる（矢印Ｙ６）。
基端２０ｂと基端１０ｂとが離間するに従い、ベース部材１０とカバー部材２０との離間する部位が先端３ａ側に広がっていき、係合突部１５ａと係合窪み部２４との係合が解除される。すなわち、基端係止部３３の係止を解除し、ベース部材１０とカバー部材２０との基端における係止状態を解消する。
【００４２】
同様にして、ベース部材１０とカバー部材２０との離間する部位を先端側に広げていくと、面取部１６ｂと傾斜部２３ａとの押圧摩擦が限界に達して面方向に滑って、傾斜部２３ａと面取部１６ｂとの係合が解除される（図６，図７参照）。この後、ガイド溝１７の開口部から先端突部２２を抜くことにより、ベース部材１０とカバー部材２０とを分離する（図２参照）。その後、孔１１ｂに指Ｆ等を挿入して振動子２を抜き出すことにより、超音波治療器１は、振動子２とベース部材１０とカバー部材２０とに分離される。
このように分離した各部材を消毒・洗浄して清潔にした後に、上記と同様にして超音波治療器１を組み立てられて、患者に不快感を与えることなく繰り返し超音波治療が行われる。
【００４３】
以上説明したように、本実施形態に係る超音波治療器１によれば、装置本体３が、ベース部材１０とカバー部材２０とからなり、これらベース部材１０とカバー部材２０とが、先端係止部３１と中間係止部３２と基端係止部３３とで分離可能に係止されているので、先端係止部３１と中間係止部３２と基端係止部３３との係止を解除してベース部材１０とカバー部材２０とを分離することができる。これにより、ベース部材１０とカバー部材２０とを分離して装置本体３内部や振動子２と装置本体３との間の清掃・消毒作業を行うことができ、これらの作業を容易にすることができる。
【００４４】
また、ベース部材１０とカバー部材２０とが分離可能に係止されているので、振動子２が所定回数の使用によって治療に適した性能水準を満たさなくなったとしても、ベース部材１０とカバー部材２０とを分離させて振動子２のみを交換することができる。これにより、装置本体３を再利用することができ、超音波治療器１の経済性を向上することができる。
さらに、ベース部材１０とカバー部材２０とが分離可能に係止されているので、振動子２と装置本体３とを分別して廃棄することが容易となり、リサイクル性を向上した超音波治療器１を提供することができる。
【００４５】
また、ベース部材１０の側壁１３から外方側に向けて突出した先端係止壁１６が設けられると共に、カバー部材２０の先端２０ａ側における側部２０ｅの突壁２１から内方側に突出する先端係止爪２３とが設けられ、先端係止部３１は、先端係止壁１６と先端係止爪２３とが係合してベース部材１０とカバー部材２０とが互いに離間するのを阻止しているので、簡素な構成で装置本体３の先端部３ａを強固に係止することができると共に、この係止を容易に解除することができる。
【００４６】
また、先端係止爪２３を先端係止壁１６との係合位置まで案内するガイド溝１７が設けられているので、組み立てを容易に行うことができ、特に一般家庭で超音波治療器１の組立作業を行う場合であっても、使用者が適切に組み立てを行うことができる。
【００４７】
また、ガイド溝１７の開口寸法Ｄ１が先端係止爪２３の厚さ寸法Ｄ２よりも大きく成形されているので、ガイド溝１７に先端係止爪２３を導入し易くすることができる。これにより、超音波治療器１の組み立てをさらに容易に行うことができる。
【００４８】
また、ベース部材１０の収容溝１２の側壁１３には基端窪み部１９ａが、カバー部材２０の基端２０ｂ側における側部の突壁２１から外方側に突出する基端係止爪２５が設けられ、基端係止部３３は、基端窪み部１９ａと基端係止爪２５とが係合してベース部材１０とカバー部材２０とが互いに離間するのを阻止しているので、簡素な構成で装置本体３の基端部３ｂを強固に係止することができると共に、この係止を容易に解除することができる。
【００４９】
また、カバー部材２０には厚さ方向に貫通し、長手方向に延在する切込２７が設けられているので、基端２０ｂを弾性変形させて、基端係止部３３の係止を容易に解除することができる。
【００５０】
また、先端係止部３１と基端係止部３３との間に、ベース部材１０とカバー部材２０とを分離可能に係止する中間係止部３２を有するので、ベース部材１０とカバー部材２０とをより強固に係止することができる。特に、振動子２を患部に押し付けた場合であっても、首部３ｃ及び把持部３ｄに剥離が生じることを十分に抑制することができる。
【００５１】
なお、上述した実施の形態において示した動作手順、あるいは各構成部材の諸形状や組み合わせ等は一例であって、本発明の主旨から逸脱しない範囲において設計要求等に基づき種々変更可能である。
例えば、上述した実施の形態では、振動子２を嵌合・収容するように保持部１１が保持する構成としたが、他の方法、例えばピン止めや他の部材で保持させてもよい。
【００５２】
また、上述した実施の形態では、中間係止部３２を設ける構成としたが、必ずしも設ける必要はなく、先端係止部３１及び基端係止部３３のみを設ける構成としても、ベース部材１０とカバー部材２０とを十分に係止することが可能である。
【００５３】
また、上述した実施の形態では、先端係止壁１６に面取部１６ｂを設ける構成としたが、必ずしも設ける必要はない。例えば、上述した実施の形態のように、開口寸法Ｄ１を先端係止爪２３の厚さ寸法Ｄ２よりも大きく構成していれば、先端係止爪２３を回転させてねじ込むことが可能である。また、単に押し込んで係止させてもよい。
【符号の説明】
【００５４】
１…超音波治療器
２…振動子
３…装置本体
３ａ…先端部
３ｂ…基端部
１０…ベース部材
１０ａ…ベース部材の先端
１０ｂ…ベース部材の基端
１１…保持部
１２…収容溝
１３…側壁
１６…先端係止壁
１７…ガイド溝
２０…カバー部材
２０ａ…カバー部材の先端
２０ｂ…カバー部材の基端
２０ｅ…側部
２２…先端突部
２３…先端係止爪
２５…基端係止爪
２７…切込
３１…先端係止部
３２…中間係止部
３３…基端係止部
Ｄ１…開口寸法
Ｄ２…厚さ寸法
【図１】
0005411269.tif 000002
【図２】
0005411269.tif 000003
【図３】
0005411269.tif 000004
【図４】
0005411269.tif 000005
【図５】
0005411269.tif 000006
【図６】
0005411269.tif 000007
【図７】
0005411269.tif 000008
【図８】
0005411269.tif 000009
【図９】
0005411269.tif 000010
【図１０】
0005411269.tif 000011